(57)【要約】【課題】凹所に掛け渡した連結梁を有効活用することができる連結梁装置及びユニット建物を得る。【解決手段】ユニット住宅１０の外周の中間部には、屋内側に凹んだ凹所２０が形成されている。凹所２０には、連結梁装置３０として、凹所２０に跨るように掛け渡された連結梁３２と、連結梁３２に凹所２０内に引き出し可能に取り付けられたオーニングテント３４とが設けられている。オーニングテント３４の引き出し方向の先端部３４Ａには、支持部材３６が設けられている。支持部材３６はホルダー５０に保持されており、ホルダー５０は、凹所２０内の建物ユニット１２Ａ、１２Ｂと建物ユニット１３Ａ、１３Ｂとの角部、及び建物ユニット１４Ｂ等と建物ユニット１５Ａ、１５Ｂとの角部に配設されたレール部３８に沿って、上下方向にスライドする。【選択図】図１
2008303588.tif 000002
【特許請求の範囲】
【請求項１】
建物の外周の端部を除く所定位置に屋内側へ凹むように形成された凹所に設けられる連結梁装置であって、
前記凹所内で対向する建物外壁部の間に跨るように掛け渡された連結梁と、
前記連結梁に、環境調整機能、防犯機能及び管理機能の少なくとも何れか１つからなる付随的な機能を付加する機能付加手段と、
を有することを特徴とする連結梁装置。
【請求項２】
前記機能付加手段は、前記連結梁に前記凹所における建物本体方向又は建物本体に対して平行な方向に引き出し可能に取付けられたオーニングテントであることを特徴とする請求項１に記載の連結梁装置。
【請求項３】
前記機能付加手段は、前記凹所における建物本体に建物高さ方向にスライド可能取付けられ、かつ前記オーニングテントが建物本体方向に引き出されたときに、前記オーニングテントの先端部が係止される係止部材をさらに備えたことを特徴とする請求項２に記載の連結梁装置。
【請求項４】
前記機能付加手段は、前記連結梁に長手方向に水平移動が可能に取付けられ、かつ下方側へ散水が可能なシャワーヘッドであることを特徴とする請求項１に記載の連結梁装置。
【請求項５】
前記機能付加手段は、前記連結梁の下方側に引き出しが可能に取付けられ、かつ前記凹所を閉鎖可能な防犯シャッタであることを特徴とする請求項１に記載の連結梁装置。
【請求項６】
前記機能付加手段は、前記連結梁に取付けられ、かつ前記連結梁の下方側の略全長を感知領域とする人感センサを備えたことを特徴とする請求項１に記載の連結梁装置。
【請求項７】
前記機能付加手段は、前記連結梁に取付けられた照明装置及びスピーカの少なくとも一方をさらに備え、かつ前記人感センサにより前記凹所へ近づき又は侵入する者が感知されたときに、前記照明装置の点灯及び前記スピーカからの威嚇音の出力の少なくとも一方を行うことを特徴とする請求項６に記載の連結梁付き建物。
【請求項８】
複数の建物ユニットをつなぎ合わせて構築されるユニット建物であって、
ユニット建物の外周の端部を除く所定位置に屋内側へ凹むように凹所が形成され、かつ前記凹所を挟んで対向する建物ユニット間に、請求項１から請求項７までのいずれか１項に記載の連結梁装置を設けたことを特徴とするユニット建物。
【請求項９】
前記連結梁装置の取付け相手となる建物ユニットには、前記機能付加手段に接続される付帯設備が予め工場で組み込まれ、建築地で前記建物ユニットと前記連結梁装置をセットして前記付帯設備と前記機能付加手段とを接続することを特徴とする請求項８に記載のユニット建物。
【発明の詳細な説明】
【技術分野】
【０００１】
本発明は、建物の外周の中間部に屋内側へ凹むように形成された凹所に設けられる連結梁装置、及びこの連結梁装置を備えたユニット建物に関する。
【背景技術】
【０００２】
下記特許文献１には、ユニット建物の外周に形成された凹所を挟んで対向する建物ユニット間に、凹所に跨るように補強梁を掛け渡した構造が開示されている。
【特許文献１】特開平１０−３０６５０４号公報
【発明の開示】
【発明が解決しようとする課題】
【０００３】
しかしながら、上記先行技術では、ユニット建物の凹所に補強梁を掛け渡すことで、構造的にはユニット建物の剛性を高める効果があるが、補強梁そのものに付随的な機能性を施したものではなく、補強梁が有効活用されていない。
【０００４】
本発明は上記事実を考慮し、凹所に掛け渡した連結梁を有効活用することができる連結梁装置及びユニット建物を得ることが目的である。
【課題を解決するための手段】
【０００５】
請求項１の発明に係る連結梁装置は、建物の外周の端部を除く所定位置に屋内側へ凹むように形成された凹所に設けられる連結梁装置であって、前記凹所内で対向する建物外壁部の間に跨るように掛け渡された連結梁と、前記連結梁に、環境調整機能、防犯機能及び管理機能の少なくとも何れか１つからなる付随的な機能を付加する機能付加手段と、を有することを特徴とする。
【０００６】
請求項２の発明は、請求項１に記載の連結梁装置において、前記機能付加手段は、前記連結梁に前記凹所における建物本体方向又は建物本体に対して平行な方向に引き出し可能に取付けられたオーニングテントであることを特徴とする。
【０００７】
請求項３の発明は、請求項２に記載の連結梁装置において、前記機能付加手段は、前記凹所における建物本体に建物高さ方向にスライド可能取付けられ、かつ前記オーニングテントが建物本体方向に引き出されたときに、前記オーニングテントの先端部が係止される係止部材をさらに備えたことを特徴とする。
【０００８】
請求項４の発明は、請求項１に記載の連結梁装置において、前記機能付加手段は、前記連結梁に長手方向に水平移動が可能に取付けられ、かつ下方側へ散水が可能なシャワーヘッドであることを特徴とする。
【０００９】
請求項５の発明は、請求項１に記載の連結梁装置において、前記機能付加手段は、前記連結梁の下方側に引き出しが可能に取付けられ、かつ前記凹所を閉鎖可能な防犯シャッタであることを特徴とする。
【００１０】
請求項６の発明は、請求項１に記載の連結梁装置において、前記機能付加手段は、前記連結梁に取付けられ、かつ前記連結梁の下方側の略全長を感知領域とする人感センサを備えたことを特徴とする。
【００１１】
請求項７の発明は、請求項６に記載の連結梁装置において、前記機能付加手段は、前記連結梁に取付けられた照明装置及びスピーカの少なくとも一方をさらに備え、かつ前記人感センサにより前記凹所へ近づき又は侵入する者が感知されたときに、前記照明装置の点灯及び前記スピーカからの威嚇音の出力の少なくとも一方を行うことを特徴とする。
【００１２】
請求項８の発明に係る建物ユニットは、複数の建物ユニットをつなぎ合わせて構築されるユニット建物であって、ユニット建物の外周の端部を除く所定位置に屋内側へ凹むように凹所が形成され、かつ前記凹所を挟んで対向する建物ユニット間に、請求項１から請求項７までのいずれか１項に記載の連結梁装置を設けたことを特徴とする。
【００１３】
請求項９の発明は、請求項８に記載のユニット建物において、前記連結梁装置の取付け相手となる建物ユニットには、前記機能付加手段に接続される付帯設備が予め工場で組み込まれ、建築地で前記建物ユニットと前記連結梁装置をセットして前記付帯設備と前記機能付加手段とを接続することを特徴とする。
【００１４】
請求項１記載の本発明によれば、建物の外周の端部を除く所定位置に屋内側へ凹むように凹所が形成されており、凹所内で対向する建物外壁部には、当該建物外壁部の間に跨るように連結梁が掛け渡されている。さらに、凹所には、連結梁に環境調整機能、防犯機能及び管理機能の少なくとも何れか１つからなる付随的な機能を付加する機能付加手段が設けられている。この機能付加手段によって、凹所内の環境調整、防犯及び管理の少なくとも何れか１つを行うことができ、連結梁により建物の剛性を高めることに加えて、連結梁を有効活用することができる。
【００１５】
請求項２記載の本発明によれば、凹所内で対向する建物外壁部の間に掛け渡された連結梁には、凹所における建物本体方向又は建物本体に対して平行な方向に引き出し可能にオーニングテントが取付けられている。このオーニングテントを連結梁から建物本体方向に引き出すことにより、例えば、状況に応じて凹所内へ入る西日、風、若しくは雨等を遮り、又は屋外側からの視線を遮るなどの環境調整、凹所内の管理等を行うことが可能となる。従って、連結梁によって建物の剛性を高めることに加えて、連結梁に取付けられたオーニングテントによって環境調整機能、管理機能を付加することができ、連結梁を有効活用することができる。
【００１６】
請求項３記載の本発明によれば、凹所における建物本体に建物高さ方向にスライド可能に係止部材が取付けられており、オーニングテントが建物本体方向に引き出されたときに、オーニングテントの先端部が係止部材に係止される。これによって、係止部材を建物本体の上下方向の所望の位置にスライドさせて、オーニングテントの先端部を係止させることで、オーニングテントの角度を調整することができる。このため、状況に応じて凹所の環境調整、管理等をより効果的に行うことができる。
【００１７】
請求項４記載の本発明によれば、凹所内で対向する建物外壁部の間に掛け渡された連結梁には、長手方向に水平移動が可能にシャワーヘッドが取付けられており、シャワーヘッドから下方側に散水が可能となっている。例えば、凹所内へ自動車などを止めてシャワーヘッドから下方側に散水することで、洗車を行うことができる。このため、連結梁によって建物の剛性を高めることに加えて、連結梁に取付けられたシャワーヘッドによって給水、散水などの管理機能等を付加することができ、連結梁を有効活用することができる。
【００１８】
請求項５記載の本発明によれば、凹所内で対向する建物外壁部の間に掛け渡された連結梁には、下方側に引き出しが可能に防犯シャッタが取付けられており、防犯シャッタを下方側に引き出すことにより、凹所が閉鎖される。従って、防犯シャッタで凹所を閉鎖することで、凹所への侵入者を阻止することができ、防犯性を高めることができる。このため、連結梁によって建物の剛性を高めることに加えて、連結梁に取付けられた防犯シャッタによって防犯機能を付加することができ、連結梁を有効活用することができる。
【００１９】
請求項６記載の本発明によれば、凹所内で対向する建物外壁部の間に掛け渡された連結梁には、当該連結梁の下方側の略全長を感知領域とする人感センサが取付けられており、凹所へ近づく者又は凹所への侵入者を感知することができる。このため、連結梁によって建物の剛性を高めることに加えて、連結梁に取付けられた人感センサによって防犯機能を付加することができ、連結梁を有効活用することができる。
【００２０】
請求項７記載の本発明によれば、連結梁に防犯照明及びスピーカの少なくとも一方が設けられており、人感センサにより凹所へ近づく者又は凹所への侵入者が感知されたときに、防犯照明の点灯及びスピーカからの威嚇音の出力の少なくとも一方が行われる。このため、防犯機能をより一層高めることができる。
【００２１】
請求項８記載の本発明によれば、ユニット建物の外周の端部を除く所定位置に屋内側へ凹むように凹所が形成されており、凹所を挟んで対向する建物ユニット間に請求項１から請求項６までのいずれか１項に記載の連結梁装置が設けられているので、連結梁に環境調整機能、防犯機能及び管理機能の少なくとも何れか１つからなる付随的な機能を付加することができる。このため、連結梁によって建物の剛性を高めることに加えて、付随的な機能を付加することで、連結梁を有効活用することができる。
【００２２】
請求項９記載の本発明によれば、連結梁装置の取付け相手となる建物ユニットには、機能付加手段に接続される付帯設備が予め工場で組み込まれており、建築地で建物ユニットと連結梁装置をセットして付帯設備と機能付加手段とを接続する。これにより、建築地での作業が少なくなり、施工期間の短縮が可能となる。
【発明の効果】
【００２３】
以上説明したように、請求項１記載の本発明に係る連結梁装置は、建物の凹所に掛け渡した連結梁に付随的な機能を付加することができ、連結梁を有効活用することができるという優れた効果を有する。
【００２４】
請求項２記載の本発明に係る連結梁装置は、建物の凹所に掛け渡した連結梁にオーニングテントを取付けることで、環境調整機能又は管理機能を付加することができ、連結梁を有効活用することができるという優れた効果を有する。
【００２５】
請求項３記載の本発明に係る連結梁装置は、オーニングテントの先端部の建物本体に引き出される位置を調整することができ、環境調整機能又は管理機能を高めることができるという優れた効果を有する。
【００２６】
請求項４記載の本発明に係る連結梁装置は、建物の凹所に掛け渡した連結梁にシャワーヘッドを取付けることで、管理機能等を付加することができ、連結梁を有効活用することができるという優れた効果を有する。
【００２７】
請求項５記載の本発明に係る連結梁装置は、建物の凹所に掛け渡した連結梁に防犯シャッタを取付けることで、防犯機能を付加することができ、連結梁を有効活用することができるという優れた効果を有する。
【００２８】
請求項６記載の本発明に係る連結梁装置は、建物の凹所に掛け渡した連結梁に人感センサを取付けることで、防犯機能を付加することができ、連結梁を有効活用することができるという優れた効果を有する。
【００２９】
請求項７記載の本発明に係る連結梁装置は、凹所への侵入者が感知されたときに、防犯照明を点灯し、又はスピーカから威嚇音を出力することができ、防犯機能を高めることができるという優れた効果を有する。
【００３０】
請求項８記載の本発明に係るユニット建物は、ユニット建物の凹所に掛け渡した連結梁に付随的な機能を付加することができ、連結梁を有効活用することができるという優れた効果を有する。
【００３１】
請求項９記載の本発明に係るユニット建物は、建築地での作業が少なくなり、施工期間の短縮が可能となるという優れた効果を有する。
【発明を実施するための最良の形態】
【００３２】
〔第１実施形態〕
以下、図１〜図４を用いて、本発明に係る建物の第１実施形態について説明する。
【００３３】
図１には、本実施形態に係る建物としてのユニット住宅の外観の斜視図が示されている。この図に示されるように、ユニット住宅１０は、工場で箱形の建物ユニット１１Ａ〜１７Ａ（建物ユニット１４Ａについては符号を省略）、１１Ｂ〜１７Ｂを生産した後、建物ユニット１１Ａ〜１７Ａ、１１Ｂ〜１７Ｂを現場に搬入して、順次クレーンで据付けていくことにより構築されるようになっている。このユニット住宅１０は、基礎（図示省略）上に隣接して配置された１階の建物ユニット１１Ａ〜１７Ａと、これらの１階の建物ユニット１１Ａ〜１７Ａの上に隣接して配置された２階の建物ユニット１１Ｂ〜１７Ｂとで構成されており、２階の建物ユニット１１Ｂ〜１７Ｂの上には図示しない屋根が設けられている。
【００３４】
建物ユニット１１Ａ〜１２Ａ、１５Ａ〜１７Ａ、１１Ｂ〜１２Ｂ、１５Ｂ〜１７Ｂは、同一サイズの箱形ユニットとされており、平面視で長辺を妻方向として配置されている。ユニット住宅１０の桁方向の中間部に配置された２階の建物ユニット１３Ｂ、１４Ｂは、両側に配置された建物ユニット１２Ｂ、１５Ｂよりも妻方向のスパン長が短く形成されており、同様に１階の建物ユニット１３Ａ等（建物ユニット１３Ａに隣接する建物ユニットは省略）も、両側に配置された建物ユニット１２Ａ、１５Ａよりも妻方向のスパン長が短く形成されている。建物ユニット１３Ａ、１３Ｂ、１４Ｂは同一サイズの箱形ユニットとされており、建物ユニット１３Ａ、１３Ｂ、１４Ｂの図１中背面側が建物ユニット１１Ａ〜１２Ａ、１５Ａ〜１７Ａ、１１Ｂ〜１２Ｂ、１５Ｂ〜１７Ｂの図１中の背面側と面一となるように配置されている。
【００３５】
ユニット住宅１０の外周における図１中前方側の桁方向中間部には、建物ユニット１２Ａ、１２Ｂと建物ユニット１５Ａ、１５Ｂの前方側の外壁面１８から屋内側に凹んだ凹所２０が形成されている。凹所２０は、建物ユニット１２Ａ、１２Ｂと、建物ユニット１３Ａ、１３Ｂ、１４Ｂ等と、建物ユニット１５Ａ、１５Ｂとで囲まれた部分に設けられており、平面視にて略コ字状に形成されている。
【００３６】
凹所２０には、本実施形態の主要部である連結梁装置３０が配設されている。この連結梁装置３０は、凹所２０内の外壁部２２に跨るように掛け渡された連結梁３２と、連結梁３２に凹所２０内に引き出し可能に取り付けられたオーニングテント３４と、を備えている。連結梁３２は、凹所２０を挟んで対向する建物ユニット１２Ａ、１２Ｂの外壁部２２の連結部分と、建物ユニット１５Ａ、１５Ｂの外壁部２２（図示省略）の連結部分との間に、建物ユニット１２Ａ、１２Ｂ、１５Ａ、１５Ｂの外壁面１８に沿って掛け渡されている。この連結梁３２は、化粧現し梁であり、連結梁３２に日常生活を豊かにする機能を持たせている。
【００３７】
オーニングテント３４は、凹所２０内の建物本体としての建物ユニット１３Ｂ、１４Ｂ方向に引き出し可能となっており、建物ユニット１３Ｂ、１４Ｂ側には、オーニングテント３４の引き出し方向の先端部３４Ａに取付けられた支持部材３６と、支持部材３６が係止（保持）される係止部材としてのホルダー５０と、が配設されている。凹所２０内における建物ユニット１２Ａ、１２Ｂと建物ユニット１３Ａ、１３Ｂとの角部、及び建物ユニット１４Ｂ等と建物ユニット１５Ａ、１５Ｂとの角部には、上下方向に沿ってホルダー５０がスライド可能なレール部３８が配設されている。
【００３８】
図２に示されるように、連結梁３２は、箱形に形成されており、連結梁３２の下部には、長手方向に沿って開口部３３Ａが形成されている。連結梁３２の下部には、開口部３３Ａを塞ぐ見切り板３２Ａが取付けられている。また、連結梁３２の上部には、長手方向に沿って開口部３３Ｂが形成されており、連結梁３２の上部に開口部３３Ｂを塞ぐカバー３２Ｂが取付けられている。連結梁３２の建物ユニット１３Ｂ、１４Ｂ（図１参照）側の側壁部３２Ｃの上部側には、長手方向に沿って開口４０が形成されており、開口４０には、一対のローラ４２が配置されている。一対のローラ４２は、連結梁３２内に回転可能に支持されている。
【００３９】
連結梁３２の内部には、オーニングテント３４が軸部４４に巻き付けられた巻き取り部３４Ｂが配設されている。巻き取り部３４Ｂの上方部から建物ユニット１３Ｂ、１４Ｂ（図１参照）側へ引き出されたオーニングテント３４は、一対のローラ４２に挟持された状態でローラ４２の回転により開口４０を通って連結梁３２の外部へ引き出されるようになっている。オーニングテント３４の巻き取り部３４Ｂの屋外側の側部と下部には、オーニングテント３４を引き出し方向にガイドするための側面視にて略逆Ｌ字状のガイド部材４６が配設されている。またオーニングテント３４は、図示しないぜんまいばねによって、軸部４４の巻き取り方向に付勢されている。
【００４０】
図３（Ａ）に示されるように、支持部材３６は、箱形に形成されており、凹所２０内の建物ユニット１３Ｂ、１４Ｂ等とほぼ平行に長手方向に沿って配置されている。支持部材３６の屋外側の側壁部３６Ａは、上部に対して下部が屋内側（レール部３８側）となるように斜め方向に形成されており、側壁部３６Ａの下部側には、オーニングテント３４の先端部３４Ａが挿通される開口３６Ｂが形成されている。支持部材３６の内部には軸部４８が配設されており、オーニングテント３４の先端部３４Ａが軸部４８に取付けられている。
【００４１】
ホルダー５０は、支持部材３６の外壁面に沿って凹状に形成されており、上部に長手方向に沿って、支持部材３６を挿入及び取り出し可能な開口部５１が形成されている。ホルダー５０の屋外側の側壁部５０Ａの下部側には、支持部材３６の開口３６Ｂと対向する位置に、オーニングテント３４の先端部３４Ａが挿通される開口５０Ｂが形成されている。ホルダー５０の側壁部５０Ａの上部には、板状のロック部材５２がその中間部に設けられた回転軸５４を中心に揺動可能に支持されている。支持部材３６の側壁部３６Ａの上部には、レール部３８側に凹状に窪んだ凹部３６Ｃが形成されている。ホルダー５０の側壁部５０Ａの上部内壁には、板ばね５６が取付けられており、板ばね５６は回転軸５４に装着されて、その先端部がロック部材５２の下端部５２Ａに形成された突起５２Ｂに係止されている。この板ばね５６の付勢力により、ロック部材５２の下端部５２Ａが支持部材３６の凹部３６Ｃに係止され、支持部材３６がホルダー５０内でロックされるようになっている。また、ロック部材５２のロックを外す際には、ロック部材５２の上端部を板ばね５６の付勢力に抗して矢印Ｂ方向に揺動させることで、ロック部材５２の下端部５２Ａと凹部３６Ｃとの係止状態が外れ、支持部材３６を矢印Ｃ方向に引き出すことができる。
【００４２】
ホルダー５０の屋内側（レール部３８側）の側壁部５０Ｃの上部には、板状の取付部５８がレール部３８側へ突出するように設けられており、取付部５８の先端部には回転軸６２を中心に回転するローラ６０が設けられている。図３（Ｂ）に示されるように、レール部３８は、断面が略コ字状の部材からなり、対向する壁部の内壁面がローラ６０の周面に当接するように配置されている。レール部３８の対向する壁部の先端部には、ローラ６０の脱落を防止するために内側へ突出したリップ３８Ａが設けられている。ローラ６０の回転は、遠隔操作により図示しないモータで行われる。
【００４３】
このようなホルダー５０では、遠隔操作によりローラ６０を回転させてレール部３８の上下方向（図３中の矢印方向）に移動させることにより、ホルダー５０内に保持された支持部材３６を上下方向の所定の位置に移動させることができる。そして、ローラ６０がレール部３８の所定の位置まで上昇したときに、図示しないロック装置が作動してローラ６０の回転が所定の位置で停止することにより、支持部材３６をレール部３８の所定の位置、例えば図４（Ａ）、（Ｂ）に示す位置に保持するようになっている。
【００４４】
次に、本実施形態の作用並びに効果について説明する。
【００４５】
図４（Ａ）、（Ｂ）に示されるように、支持部材３６が保持されたホルダー５０をレール部３８に沿って上下方向に移動させることで、オーニングテント３４の先端部３４Ａの位置を移動させ、オーニングテント３４の角度を調整することができる。例えば、図４（Ａ）に示されるように、支持部材３６をレール部３８の上下方向最上部に移動させることにより、オーニングテント３４を建物ユニット１３Ｂ、１４Ｂの上部から連結梁３２までの間で屋外側に下り勾配となるように配置することができる。これにより、オーニングテント３４で凹所２０内の建物ユニット１３Ｂ、１４Ｂ側への日射、風、雨等を遮ることができる。また、図４（Ｂ）に示されるように、ホルダー５０に保持された支持部材３６をレール部３８の上下方向中間部に移動させることで、オーニングテント３４を凹所２０内に水平方向に配置することができる。これにより、建物ユニット１３Ｂ、１４Ｂの採光を確保するとともに、オーニングテント３４で建物ユニット１３Ａ等への日射、雨等を遮ることができる。また、図４（Ｃ）に示されるように、支持部材３６をホルダー５０から取外して凹所２０内の連結梁３２の下方側に配置することで、オーニングテント３４を建物ユニット１２Ａ、１５Ａの外壁面１８に沿って上下方向に配置することができる。これにより、連結梁３２と建物ユニット１３Ａ等との間から採光を確保すること共に、屋外側から建物ユニット１３Ａ等への視線等を遮ることができる。
【００４６】
従って、状況に応じてオーニングテント３４を所定の位置に配置することにより、凹所２０への日射、風、若しくは雨を遮り、又は調整することができ、また、凹所２０への視線を遮ることでプライバシーを確保することができる。このため、凹所２０の環境調整や管理等を行うことができ、凹所２０の快適性が増す。従って、凹所２０に設けられた連結梁３２によりユニット住宅１０の剛性を高めることに加えて、オーニングテント３４により環境調整機能、管理機能等を付加して連結梁３２を有効活用することができる。また、連結梁３２とこれに付随する機能を有するオーニングテント３４等は、建物を構造体と内装、設備に分けて設計した、所謂スケルトンインフィルの関係にあり、オーニングテント３４等を容易にメンテナンスすることができる。
【００４７】
また、連結梁装置３０の取付け相手となる建物ユニット１２Ａ〜１５Ａ、１２Ｂ〜１５Ｂの少なくとも何れか１つには、ローラ６０等に接続されるモータや電源等の付帯設備（図示省略）が予め工場で組み込まれている。そして、現場で建物ユニット１２Ａ〜１５Ａ、１２Ｂ〜１５Ｂと連結梁装置３０をセットした後、付帯設備と連結梁装置３０のローラ６０等の接続部とを接続する。これにより、現場での作業が少なくなり、施工期間を短縮化することができる。
【００４８】
〔第２実施形態〕
以下、図５〜図７を用いて、本発明に係る建物の第２実施形態について説明する。なお、前述した第１実施形態と同一構成部分については、同一番号を付してその説明を省略する。
【００４９】
図５及び図６に示されるように、このユニット住宅７０では、凹所２０に連結梁装置７２が配設されている。この連結梁装置７２は、凹所２０内で対向する建物ユニット１２Ａ，１２Ｂ、１５Ａ、１５Ｂの外壁部２２に跨るように掛け渡された連結梁７４と、連結梁７４に長手方向に沿って移動可能に取り付けられたシャワーヘッド８０と、を備えている。連結梁７４は、化粧現し梁であり、連結梁７４に日常生活を豊かにする機能を持たせている。この連結梁７４は、箱形に形成されており、連結梁７４の内壁部７４Ａの開口部３３Ａ付近には、長手方向と直交する方向の両側に略Ｌ字状のレール部７８が左右対称に２個配設されている。また、連結梁７４の上部には、連結梁７４の上部に形成された開口部３３Ｂを塞ぐカバー７４Ｂが取付けられている。
【００５０】
レール部７８は、その側壁部７８Ａが連結梁７４の内壁部７４Ａに取付けられ、先端部に上方に突出する突出部７８Ｂを備えている。シャワーヘッド８０は、レール部７８の間から下方側に突出するように配置されており、連結梁７４の内部には、シャワーヘッド８０をレール部７８に沿って水平方向に移動させる移動部材８２が配設されている。
【００５１】
シャワーヘッド８０は、下面部に水を噴射可能な複数のノズル（図示省略）が形成された略扇状のヘッド部８０Ａと、このヘッド部８０Ａの上部に接続されて当該ヘッド部８０Ａに水を供給する連結管８０Ｂと、を備えている。移動部材８２は、軸部８２Ａの両端部に円板状の車輪８２Ｂを備えており、２個の車輪８２Ｂはそれぞれレール部７８の上部に配置されている。軸部８２Ａには、連結管８０Ｂの後方部が、軸部８２Ａの回転を阻害しないように挿通されている。移動部材８２は、車輪８２Ｂを手動又はモータ（図示省略）で回転させることで、シャワーヘッド８０を長手方向の所定位置に移動させることが可能となっている。
【００５２】
次に、本実施形態の作用並びに効果について説明する。
【００５３】
連結梁７４には、下方側に水を噴出可能なシャワーヘッド８０が取付けられており、移動部材８２の車輪８２Ｂを手動等で回転させ、レール部７８に沿って水平方向に移動させることにより、軸部８２Ａに支持されたシャワーヘッド８０を長手方向の所定位置に移動させる。そして、図７に示されるように、凹所２０（図５参照）に自動車８４を停車させ、シャワーヘッド８０のヘッド部８０Ａに設けられた複数のノズル（図示省略）から水Ｗを噴射させることにより、自動車８４を洗車することができる。このシャワーヘッド８０により、凹所２０への水の供給及び散水を行うことで、連結梁７４に管理機能等を付加することができ、凹所２０の快適性が増す。従って、凹所２０に設けられた連結梁７４によりユニット住宅７０の剛性を高めることに加えて、シャワーヘッド８０により水の供給及び散水などの管理機能等を付加して連結梁７４を有効活用することができる。また、連結梁７４と、これに付随する機能を有するシャワーヘッド８０等は、スケルトンインフィルの関係にあり、シャワーヘッド８０等を容易にメンテナンスすることができる。
【００５４】
また、連結梁装置７２の取付け相手となる建物ユニット１２Ａ、１２Ｂ、１５Ａ、１５Ｂの少なくとも何れか１つには、連結管８０Ｂに水を供給する供給装置、車輪８２Ｂを回転させるモータや電源等の付帯設備（図示省略）が予め工場で組み込まれている。そして、現場で建物ユニット１２Ａ、１２Ｂ、１５Ａ、１５Ｂと連結梁装置７２をセットして上記付帯設備と連結管８０Ｂ、車輪８２Ｂ等の接続部とを接続する。これにより、現場での作業が少なくなり、施工期間を短縮化することができる。
【００５５】
〔第３実施形態〕
以下、図８〜図９を用いて、本発明に係る建物の第３実施形態について説明する。なお、前述した第１又は第２実施形態と同一構成部分については、同一番号を付してその説明を省略する。
【００５６】
図８に示されるように、このユニット住宅９０では、凹所２０に連結梁装置９２が配設されている。この連結梁装置９２は、凹所２０内で対向する建物ユニット１２Ａ，１２Ｂ、１５Ａ、１５Ｂの外壁部２２に跨るように掛け渡された連結梁９４と、連結梁９４から下方側に引き出し可能に取り付けられた防犯シャッタ９６と、を備えている。連結梁９４は、化粧現し梁であり、連結梁９４に日常生活を豊かにする機能を持たせている。
【００５７】
図９に示されるように、連結梁９４は、箱形に形成されており、連結梁９４の下部には、開口部３３Ａを塞ぐ見切り板９４Ａが取付けられている。見切り板９４Ａには、長手方向に沿って防犯シャッタ９６が挿通される開口９４Ｂが形成されている。連結梁９４の内部には、軸部９８に防犯シャッタ９６が巻き付けられた巻き取り部９６Ａが配置されており、巻き取り部９６Ａの屋内側方向から引き出された防犯シャッタ９６は、連結梁９４内から開口９４Ｂを通って下方側へ引き出されるようになっている。防犯シャッタ９６は、水平方向両端部に上下方向に沿って配置された縦部材９６Ｂと、縦部材９６Ｂの間に水平方向に所定の間隔で配置された複数の棒状部材９６Ｃと、で構成されている。縦部材９６Ｂは、チェーン状の部材からなり、折り曲げが可能となっており、また、複数の棒状部材９６Ｃはほぼ平行に掛け渡され、棒状部材９６Ｃの間には隙間が形成されている。防犯シャッタ９６は、手動又は図示しないモータにより上下方向に移動させるように構成されている。
【００５８】
次に、本実施形態の作用並びに効果について説明する。
【００５９】
図８に示されるように、連結梁９４内の軸部９８に巻き取られた防犯シャッタ９６を開口９４Ｂから下方側に引き出すことにより、防犯シャッタ９６が建物ユニット１２Ａ、１５Ａの外壁面１８に沿った状態で配置され、凹所２０が閉鎖される。この防犯シャッタ９６により、凹所２０への侵入者を阻止することができ、防犯性を高めることができる。従って、凹所２０に設けられた連結梁９４によりユニット住宅９０の剛性を高めることに加えて、防犯シャッタ９６により防犯機能を付加して連結梁９４を有効活用することができる。また、連結梁９４と、これに付随する機能を有する防犯シャッタ９６は、スケルトンインフィルの関係にあり、防犯シャッタ９６を容易にメンテナンスすることができる。
【００６０】
また、連結梁装置９２の取付け相手となる建物ユニット１２Ａ、１２Ｂ、１５Ａ、１５Ｂの少なくとも何れか１つには、防犯シャッタ９６を動作させるモータや電源等の付帯設備（図示省略）が予め工場で組み込まれている。そして、現場で建物ユニット１２Ａ、１２Ｂ、１５Ａ、１５Ｂと連結梁装置９２をセットして付帯設備と防犯シャッタ９６の接続部とを接続する。これにより、現場での作業が少なくなり、施工期間を短縮化することができる。
【００６１】
〔第４実施形態〕
以下、図１０を用いて、本発明に係る建物の第４実施形態について説明する。なお、前述した第１〜第３実施形態と同一構成部分については、同一番号を付してその説明を省略する。
【００６２】
図１０に示されるように、このユニット住宅１００では、１階側の建物ユニット１０２Ａ及びその上部の２階側の建物ユニット１０２Ｂと、１階側の建物ユニット１０４Ａ及びその上部の２階側の建物ユニット１０４Ｂとの間に、屋内側に凹んだ凹所１０６が形成されている。凹所１０６を挟んで対向する建物ユニット１０２Ａ、１０２Ｂの外壁部１０８と、建物ユニット１０４Ａ、１０４Ｂの外壁部１０８との間に、建物ユニット１０２Ａ、１０２Ｂ、１０４Ａ、１０４Ｂの屋外側の外壁面（図示省略）に沿って凹所１０６に跨るように連結梁１１０が掛け渡されている。この連結梁１１０は、化粧現し梁であり、連結梁１１０に日常生活を豊かにする機能を持たせている。
【００６３】
凹所１０６には、中庭１１２が形成されており、中庭１１２の中央部には樹木１１４が植えられている。また、１階側の建物ユニット１０２Ａ、１０４Ａには、凹所１０６に連通する掃き出し窓１１６が設けられており、また１階側の建物ユニット１０２Ｂには、並列に配置された２つの窓１１８が設けられている。
【００６４】
連結梁１１０と建物ユニット１０２Ａ、１０２Ｂとの角部、及び連結梁１１０と建物ユニット１０４Ａ、１０４Ｂとの角部には、それぞれ照明装置としての防犯ライト１２０が取付けられている。防犯ライト１２０には、連結梁１１０の下方側の略全長を感知領域とする人感センサ（図示省略）が設けられており、人感センサにより凹所１０６へ近づく者等が感知されたときに、防犯ライト１２０を点灯させるようになっている。
【００６５】
次に、本実施形態の作用並びに効果について説明する。
【００６６】
連結梁１１０の両端部付近に防犯ライト１２０が配設されているので、人感センサによって凹所１０６へ近づく者や、連結梁１１０の下方を通過する者が感知されると、防犯ライト１２０が点灯する。このため、凹所１０６へ近づく者等に対して光を照らして威嚇することで、防犯性を高めることができ、凹所１０６の安全性が増す。従って、凹所２０に設けられた連結梁１１０によりユニット住宅１００の剛性を高めることに加えて、防犯ライト１２０により防犯機能を付加して連結梁１１０を有効活用することができる。また、連結梁１１０と、これに付随する機能を有する防犯ライト１２０は、スケルトンインフィルの関係にあり、防犯ライト１２０を容易にメンテナンスすることができる。
【００６７】
また、連結梁１１０の取付け相手となる建物ユニット１２Ａ、１２Ｂ、１５Ａ、１５Ｂの少なくとも何れか１つには、防犯ライト１２０を点灯させる電源等の付帯設備（図示省略）が予め工場で組み込まれている。そして、現場で建物ユニット１２Ａ、１２Ｂ、１５Ａ、１５Ｂと連結梁１１０をセットして付帯設備と防犯ライト１２０の接続部とを接続する。これにより、現場での作業が少なくなり、施工期間を短縮化することができる。
【００６８】
〔第４実施形態のバリエーション〕
防犯ライト１２０に代えて又は防犯ライト１２０と共に、威嚇音を出力させるスピーカを設けることができる。そして、人感センサにより凹所１０６へ近づく者等が感知されたときに、スピーカから威嚇音を出力することで、防犯性を高めることができる。
【００６９】
また、防犯ライト１２０等に連動して、ユニット住宅１００の居住者に凹所１０６へ近づく者等が感知されたことを音により伝える第２のスピーカや、映像により伝える映写装置等を設けてもよい。
【００７０】
〔前述した実施形態の補足説明〕
前述した実施形態では、凹所に設けられた連結梁装置によって、環境調整機能、管理機能及び防犯機能の少なくとも何れか１つからなる付随的な機能を付加するものであるが、連結梁装置は前述した実施形態に限らず、他の構成でもよい。ここで、環境調整機能とは、凹所へ入り込む日射、風若しくは雨等を調整し、又は屋外側から凹所への視線等を遮る機能などをいう。また、管理機能とは、凹所への水の供給及び散水、又は電源の供給等を行う機能などをいう。また、防犯機能とは、凹所の安全性を確保する機能をいう。
【００７１】
前述した実施形態では、工場で複数の建物ユニット及び連結梁装置を生産し、現場に建物ユニット及び連結梁装置を搬入して順次クレーンで据付けていくことにより、ユニット住宅を構築するので、現場での連結梁装置の組み立て作業工程を省くことができ、施工期間の短縮化を図ることができる。さらに、連結梁装置を工場内で組み立てるので、品質管理を容易に行うことができる。
【００７２】
前述した実施形態では、ユニット住宅を例として説明したが、在来工法の住宅、又は住宅以外の用途に供される建物に対して本発明の連結梁を適用することができる。
【図面の簡単な説明】
【００７３】
【図１】第１実施形態に係るユニット住宅を示す斜視図である。
【図２】図１に示す連結梁及びオーニングテントを示す断面図である。
【図３】（Ａ）は図１に示すオーニングテントの支持部材及びレール部を示す断面図、（Ｂ）は図３（Ａ）中のＡ−Ａ線における断面図である。
【図４】図１に示すユニット住宅に用いられる連結梁及びオーニングテントの使用状態を示す斜視図である。
【図５】第２実施形態に係るユニット住宅を示す斜視図である。
【図６】図５に示す連結梁及びシャワーヘッドを示す断面図である。
【図７】図５に示すユニット住宅に用いられる連結梁及びシャワーヘッドの使用状態を示す側面図である。
【図８】第３実施形態に係るユニット住宅を示す斜視図である。
【図９】図８に示すユニット住宅に用いられる連結梁及び防犯シャッタを示す断面図である。
【図１０】第４実施形態に係るユニット住宅に用いられる連結梁及び照明装置を示す斜視図である。
【符号の説明】
【００７４】
１０   ユニット住宅（ユニット建物）
１１Ａ〜１７Ａ       建物ユニット
１１Ｂ〜１７Ｂ       建物ユニット
１３Ａ、１３Ｂ、１４Ｂ      建物ユニット（建物本体）
２０   凹所
２２   外壁部（建物外壁部）
３０   連結梁装置
３２   連結梁
３４   オーニングテント（機能付加手段）
３８   レール部（オーニングテントの先端部を上下方向に移動させる部材）
５０   ホルダー（係止部材）
７０   ユニット住宅（ユニット建物）
７２   連結梁装置
７４   連結梁
８０   シャワーヘッド（機能付加手段）
８２   移動部材（シャワーヘッドを水平方向に移動させる部材）
９０   ユニット住宅（ユニット建物）
９２   連結梁装置
９４   連結梁
９６   防犯シャッタ（機能付加手段）
１００ ユニット住宅（ユニット建物）
１０２Ａ、１０２Ｂ   建物ユニット
１０４Ａ、１０４Ｂ   建物ユニット
１０６ 凹所
１０８ 外壁部（建物外壁部）
１１０ 連結梁
１２０ 防犯ライト（照明装置、機能付加手段）
【図１】
2008303588.tif 000003
【図２】
2008303588.tif 000004
【図３】
2008303588.tif 000005
【図４】
2008303588.tif 000006
【図５】
2008303588.tif 000007
【図６】
2008303588.tif 000008
【図７】
2008303588.tif 000009
【図８】
2008303588.tif 000010
【図９】
2008303588.tif 000011
【図１０】
2008303588.tif 000012